(57)【要約】【課題】一つの駆動部を異なる位置に配置可能な駆動ユニット取付構造を提供する。【解決手段】本発明の駆動ユニット取付構造は、カメラ本体（６）に対して固定された固定部（８）と、前記固定部（８）に対して光軸（Ａ）方向に移動可能な移動部（９，１０，１１）と、前記移動部（９，１０，１１）を移動させる駆動力を発生すると共に、前記固定部（８）に対して着脱可能な駆動ユニット（４）と、前記駆動ユニット（４）の前記固定部（８）に対する前記光軸（Ａ）と垂直な面上における位置決めを行うと共に、前記駆動ユニット（４）の前記固定部（８）に対する前記光軸（Ａ）方向における所定範囲内の任意の位置への装着を可能とする駆動ユニット取付部（２０）と、を備える駆動ユニット取付構造（１）を備える。【選択図】図２
2008281955.tif 000002
【特許請求の範囲】
【請求項１】
カメラ本体に対して固定された固定部と、
前記固定部に対して光軸方向に移動可能な移動部と、
前記移動部を移動させる駆動力を発生すると共に、前記固定部に対して着脱可能な駆動ユニットと、
前記駆動ユニットの前記固定部に対する前記光軸と垂直な面上における位置決めを行うと共に、前記駆動ユニットの前記固定部に対する前記光軸方向における所定範囲内の任意の位置への取り付けを可能とする駆動ユニット取付部と、
を備える駆動ユニット取付構造。
【請求項２】
請求項１に記載の駆動ユニット取付構造であって、
前記駆動ユニット取付部が、前記光軸方向に延びる延在部を備え、
前記駆動ユニットが、前記延在部に沿って移動可能な可動部を備え、
前記所定範囲は、前記可動部が前記延在部に沿って移動可能な範囲であることを特徴とする駆動ユニット取付構造。
【請求項３】
請求項１又は２に記載の駆動ユニット取付構造であって、
光軸方向に延びる溝を有すると共に前記移動部を駆動する受動ギアを更に備え、
前記駆動ユニットが、前記受動ギアと噛み合う駆動ギアを備え、
前記駆動ユニットの前記固定部に対する装着可能な所定範囲内において、前記受動ギアと前記駆動ギアとが噛み合うことを特徴とする駆動ユニット取付構造。
【請求項４】
請求項１〜３のいずれか１項に記載の駆動ユニット取付構造であって、
前記固定部と前記駆動ユニットとの間に間隔調整部材を介在させて前記駆動ユニットの前記固定部に対する光軸方向における相対的位置を調整することを特徴とする駆動ユニット取付構造。
【請求項５】
請求項１〜４のいずれか１項に記載の駆動ユニット取付構造であって、
前記固定部が筒状体であって、前記駆動ユニット取付部が前記固定部の外周面に設けられていることを特徴とする駆動ユニット取付構造。
【請求項６】
請求項１〜５のいずれか１項に記載の駆動ユニット取付構造であって、
前記駆動ユニットがモータを備え、前記モータの出力軸が前記光軸と直交する方向に延びていることを特徴とする駆動ユニット取付構造。
【請求項７】
請求項１〜６のいずれか１項に記載の駆動ユニット取付構造を備えるレンズ鏡筒。
【請求項８】
請求項７に記載のレンズ鏡筒を備えるカメラ。
【発明の詳細な説明】
【技術分野】
【０００１】
本発明は、駆動ユニット取付構造、それを備えるレンズ鏡筒及びカメラに関するものである。
【背景技術】
【０００２】
従来、レンズ鏡筒を駆動させるための駆動部は、ＣＣＤ台や固定筒と一体的に形成されるか、又はレンズ鏡筒ごとにそのレンズ鏡筒の専用品としてユニット化されてＣＣＤ台や固定筒の固定位置に取り付けられている（例えば、特許文献１参照）。
【特許文献１】特開２００５−３０９３４０号公報
【発明の開示】
【発明が解決しようとする課題】
【０００３】
しかし、駆動部がＣＣＤ台や固定筒に一体的に形成され、又はレンズ鏡筒ごとに専用の駆動ユニットがＣＣＤ台や固定筒の固定位置に取り付けられる構成では、レイアウトの異なるカメラごとに異なる駆動部または駆動ユニットが必要がある。
【０００４】
本発明は、一つの駆動ユニットを異なる位置に配置可能な駆動ユニット取付構造、それを備えるレンズ鏡筒及びカメラを提供することを目的とする。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、カメラ本体（６）に対して固定された固定部（８）と、前記固定部（８）に対して光軸（Ａ）方向に移動可能な移動部（９，１０，１１）と、前記移動部（９，１０，１１）を移動させる駆動力を発生すると共に、前記固定部（８）に対して着脱可能な駆動ユニット（４）と、前記駆動ユニット（４）の前記固定部（８）に対する前記光軸（Ａ）と垂直な面上における位置決めを行うと共に、前記駆動ユニット（４）の前記固定部（８）に対する前記光軸（Ａ）方向における所定範囲内の任意の位置への取り付けを可能とする駆動ユニット取付部（２０）と、を備える駆動ユニット取付構造（１）である。
請求項２に記載の発明は、請求項１に記載の駆動ユニット取付構造（１）であって、前記駆動ユニット取付部（２０）が、前記光軸（Ａ）方向に延びる延在部（２５）を備え、前記駆動ユニット（４）が前記延在部（２５）に沿って光軸（Ａ）方向に移動可能な可動部（３３，３４）を備え、前記所定範囲は、前記可動部（３３，３４）が前記延在部（２５）に沿って移動可能な範囲であることを特徴とする駆動ユニット取付構造（１）である。
請求項３に記載の発明は、請求項１又は２に記載の駆動ユニット取付構造（１）であって、光軸（Ａ）方向に延びる溝（２２ａ）を有すると共に前記移動部（９，１０，１１）を駆動する細長い受動ギア（２２）を更に備え、前記駆動ユニット（４）が、前記受動ギア（２２）と噛み合う駆動ギア（２９ｅ）を備え、前記駆動ユニット（４）の前記固定部（８）に対する装着可能な前記所定範囲内において、前記受動ギア（２２）の前記溝（２２ａ）に前記駆動ギア（２９ｅ）が噛み合うことを特徴とする駆動ユニット取付構造（１）である。
請求項４に記載の発明は、請求項１〜３のいずれか１項に記載の駆動ユニット取付構造（１）であって、前記固定部（８）と前記駆動ユニット（４）との間に間隔調整部材（３６）を介在させて前記駆動ユニット（４）の前記固定部（８）に対する光軸（Ａ）方向における相対的位置を調整することを特徴とする駆動ユニット取付構造（１）である。
請求項５に記載の発明は、請求項１〜４のいずれか１項に記載の駆動ユニット取付構造（１）であって、前記固定部（８）が筒状体であって、前記駆動ユニット取付部（２０）が前記固定部（８）の外周面（８ａ）に設けられていることを特徴とする駆動ユニット取付構造（１）である。
請求項６に記載の発明は、請求項１〜５のいずれか１項に記載の駆動ユニット取付構造（１）であって、前記駆動ユニット（４）がモータ（２７）を備え、前記モータ（２７）の出力軸（２７ａ）が前記光軸（Ａ）と直交する方向に延びていることを特徴とする駆動ユニット取付構造（１）である。
請求項７に記載の発明は、請求項１〜６のいずれか１項に記載の駆動ユニット取付構造（１）を備えるレンズ鏡筒（３）である。
請求項８に記載の発明は、請求項７に記載のレンズ鏡筒（３）を備えるカメラ（２）である。
なお、符号を付して説明した構成は、適宜改良してもよく、また、少なくとも一部を他の構成物に代替してもよい。
【発明の効果】
【０００７】
本発明によれば、一つの駆動ユニットを異なる位置に配置可能な駆動ユニット取付構造、それを備えるレンズ鏡筒及びカメラを提供することができる。
【発明を実施するための最良の形態】
【０００８】
以下、図面等を参照して、本発明の実施形態について説明する。なお、以下に示す各図には、説明と理解を容易にするために、ｘｙｚ直交座標系を設けた。この座標系では、撮影者が通常の状態でカメラを保持したときのカメラの位置（以下、正位置という）において撮影者から見て左側に向かう方向をｘプラス方向とする。また、正位置において上側に向かう方向をｙプラス方向とする。更に、正位置において被写体に向かう方向をｚプラス方向とする。
【０００９】
図１は、本実施形態による駆動ユニット取付構造１を備えるカメラ２を示した図である。図１はカメラ２の一部を切り欠いて示したものである。カメラ２は、レンズ鏡筒３により結像された被写体像を不図示の撮像素子によって撮像する、いわゆるデジタルカメラであり、レンズ鏡筒３と駆動ユニット４とを備える。
【００１０】
レンズ鏡筒３は、焦点距離を任意に変化させることができるズームレンズ鏡筒であり、広角状態〜望遠状態の他に、広角状態よりも更にレンズをカメラボディ６内に縮めた、いわゆる沈胴状態にすることができる。また、レンズ鏡筒３は、カメラボディ６に対して固定された固定筒８と、固定筒８の内径側に挿入され且つ固定筒８に対して光軸Ａ方向に移動可能な第１の移動筒９と、第１の移動筒９の内径側に挿入され、第１の移動筒９の内径側に挿入されると共に第１の移動筒９に対して光軸Ａ方向に移動可能な第２の移動筒１０と、第２の移動筒１０と同様に光軸Ａ方向に移動可能で且つレンズ鏡筒３が繰り出した状態において最も被写体側に配置される第３の移動筒１１と、を備える。第３の移動筒１１の先端は、レンズ（図示せず）が内部に配置された開口部１３を有する端面１４に覆われている。また、図１で示す沈胴状態において開口部１３は、レンズバリア１６で覆われている。
【００１１】
図２はレンズ鏡筒３と、駆動ユニット４とを光軸Ａ方向像側から見た分解斜視図である。図１及び図２に示すように、固定筒８の外周面８ａにおける光軸Ａの斜め下側（ｘマイナス、ｙマイナス側）には、光軸Ａに沿って溝２２ａが設けられた細長い受動ギア２２が配置されている。この受動ギア２２は駆動ユニット４の後述するギア列２９の最終ギアである駆動ギア２９ｅとかみ合い、これにより駆動ユニット４の回転力が第１の移動筒９に伝達され、第１の移動筒９が光軸Ａ方向被写体側（ｚプラス側）に繰り出し、これに伴い第２の移動筒１０及び第３の移動筒１１も光軸Ａ方向被写体側に繰り出し、レンズ鏡筒３のズーム動作が行われる。
【００１２】
図２に示すように、レンズ鏡筒３の固定筒８の外周面８ａには、更に駆動ユニット４を固定筒８に取り付けるためのねじ１８を固定する２つのねじ固定部１９（一方のみを図示）と、駆動ユニット４の、固定筒８に対する光軸Ａと垂直な面における位置決めを行う２つの駆動ユニット取付部２０と、が設けられている。
【００１３】
ねじ固定部１９は、固定筒８の外周面８ａから外方に突き出すように設けられ、光軸Ａ方向にねじ１８を挿通させる孔１９ａが形成されている。
【００１４】
駆動ユニット取付部２０は、固定筒８の外周面８ａから外方に突き出すようにして設けられた保持部２４と、その保持部２４から光軸Ａに沿って延びる棒状の延在部２５とを備える。駆動ユニット取付部２０の延在部２５を、後述する駆動ユニット４の位置決め孔３３，３４に挿入することで、駆動ユニット４の固定筒８に対する光軸Ａと垂直な面上における位置決めが行われ、また組み立て時において駆動ユニット４の固定筒８に対する光軸Ａ方向における所定範囲内の任意の位置への装着が可能になる。
【００１５】
図１に示すように、駆動ユニット４は、ズームモータ２７と、ズームモータ２７の回転を受動ギア２２に伝達するためのウォームギア２８と、ギア列２９とを有している。なお、このウォームギア２８と、ギア列２９とはベース３０に保持され、光軸側はカバー３１で覆われている。
【００１６】
ズームモータ２７は、レンズ鏡筒３を沈胴状態〜広角状態〜望遠状態と駆動する駆動源となる、例えばＤＣモータである。ズームモータ２７の出力軸２７ａは光軸Ａと直交している。
【００１７】
ウォームギア２８は、ズームモータ２７の出力軸２７ａに圧入されている。ギア列２９は、５段構成で、ウォームギア２８とかみ合う初段ギア２９ａ、第２〜第４ギア２９ｂ〜２９ｄ及び最終ギアである駆動ギア２９ｅを備える。この駆動ギア２９ｅは、上述したように受動ギア２２と噛み合い、ズームモータ２７の回転駆動力を受動ギア２２へ伝達する。
【００１８】
駆動ユニット４は、図２に示すようにズームモータ２７の側部にねじ受け部３２を備え、またベース３０には２つの位置決め孔３３，３４が設けられている。ねじ受け部３２は、上述のねじ固定部１９に挿入されたねじ１８を螺合するためのねじ溝を内周に備える。また位置決め孔３３，３４は上述の駆動ユニット取付部２０の延在部２５に挿通されて延在部２５に沿って光軸Ａ方向にスライド可能である。また位置決め孔の一方３３は円形の孔であり、他方３４は挿通を容易にするため長孔になっている。
【００１９】
次に、駆動ユニット４のレンズ鏡筒３に対する取付方法について説明する。まず、２つの駆動ユニット取付部２０の延在部２５のそれぞれに、位置決め孔３３及び３４を挿通させ、駆動ユニット４を固定筒８に対して光軸Ａと垂直な面上における位置決めを行う。そして、ねじ固定部１９の孔１９ａにねじ１８を挿入する。このとき、ねじ１８にワッシャ３６を挿通させてねじ受け部３２に螺合させると、固定筒８に対して駆動ユニット４が光軸方向被写体側に位置する第１の位置に駆動ユニット４を配置することができる。図３（ａ）は、ねじ１８にワッシャ３６を挿通させた状態でねじ受け部３２にねじ１８を螺合した場合における、ねじ受け部３２の固定筒８に対する第１の位置を示した図である。一方、図３（ｂ）は、ねじ１８にワッシャ３６が挿通されていない状態でねじ受け部３２にねじ１８を螺合した場合における、ねじ受け部３２の固定筒８に対する第２の位置を示した図である。図３（ｂ）において、ねじ受け部３２の第２の位置は、図３（ａ）の第１の位置よりやや光軸Ａ方向像側となる。
【００２０】
図４（ａ），（ｂ）は、図３（ａ），（ｂ）のそれぞれの場合における駆動ユニット４の固定筒８に対する位置を示した図である。ワッシャ３６が存在する図３（ａ）の場合、図４（ａ）に示すように、駆動ユニット４は、位置決め孔３３，３４は延在部２５の先端に位置し、駆動ギア２９ｅが受動ギア２２のほぼ中央部に位置する第１の位置に配置される。ワッシャ３６が存在しない図３（ｂ）の場合、図４（ｂ）に示すように位置決め孔３３，３４は延在部２５に深く挿入され、駆動ギア２９ｅは受動ギア２２の図４（ａ）と比べた光軸Ａ方向像側に位置し、駆動ユニット４は第２の位置に配置される。
【００２１】
以上、本実施形態によると、以下の効果を有する。
（１）駆動ユニット４が、レンズ鏡筒３の固定筒８に対して延在部２５の長さの範囲においてスライド可能であるため、その範囲において駆動ユニット４をレンズ鏡筒３の固定筒８に対して移動させて取り付けることができる。したがって駆動ユニット４のレンズ鏡筒３に対するある程度自由なレイアウトが可能となり、異なるレンズ鏡筒に対して同一の駆動ユニット４を使用することができる可能性が高まる。ゆえに、同一部品の汎用化により製造コストを低減ることができる。
（２）ワッシャ３６により、レンズ鏡筒３の固定筒８に対する駆動ユニット４の相対的位置を容易に変更することができる。また、いろいろな幅のワッシャを準備することにより、固定筒８に対する駆動ユニット４の相対的位置を任意に変更することができる。
（３）出力軸２７ａが光軸と直交するようにズームモータ２７が配置されているため、レンズ鏡筒３の光軸方向の長さを短くすることができる。
【００２２】
（変形形態）
以上、説明した実施形態に限定されることなく、種々の変形や変更が可能であって、それらも本発明の範囲内である。
（１）本実施形態ではズームモータの駆動ユニットの取付構造について説明したが、これに限定されず、フォーカスモータをユニット化して本発明を適用してもよい。
（２）本実施形態ではレンズ非交換式のデジタルスチルカメラについて説明したが、これに限定されず、本発明はレンズ交換式のカメラのレンズ鏡筒における駆動ユニットの取付構造に適用してよい。
（３）本実施形態では駆動ユニットをレンズ鏡筒の固定筒に取り付ける構造にしたが、これに限定されず、駆動ユニット取付部やねじ固定部をＣＣＤ台等に設け、駆動ユニットをＣＣＤ台に取り付ける構造にしてもよい。更にフォーカスモータ等をユニット化して本発明を適用する場合、移動筒に駆動ユニット取付部やねじ固定部を取り付ける構造であってもよい。
（４）本実施形態ではズームモータとしてＤＣモータを使用したがこれに限定されず、超音波モータやステッピングモータであってもよい。
（５）本実施形態では、モータを、そのモータの出力軸が光軸に対して垂直となるように配置したがこれに限定されず、出力軸が光軸方向に延びるようにして配置してもよい。
（６）本実施形態では、ねじ固定部を固定筒に設け、ねじ受け部を駆動ユニットに設ける構造としたがこれに限定されず、ねじ固定部を駆動ユニットに設け、ねじ受け部を固定筒に設けてもよい。
（７）本実施形態では、駆動ユニット取付部を固定筒に設け、位置決め孔を駆動ユニットに設ける構造としたがこれに限定されず、駆動ユニット取付部を駆動ユニットに設け、位置決め孔を固定筒に設ける構造としてもよい。
なお、実施形態及び変形形態は、適宜組み合わせて用いることもできるが、詳細な説明は省略する。また、本発明は以上説明した各実施形態によって限定されることはない。
【図面の簡単な説明】
【００２３】
【図１】本発明の一実施形態による駆動ユニット取付構造を備えるカメラを示した図である。
【図２】レンズ鏡筒と、駆動ユニットとを像側から見た分解斜視図である。
【図３】ねじ受け部の固定筒に対する位置関係を示した図であり、（ａ）は、ねじにワッシャが挿通された状態、（ｂ）は、ねじにワッシャが挿通されていない状態を示した図である。
【図４】（ａ），（ｂ）は、図３（ａ），（ｂ）のそれぞれの状態における駆動ユニットの固定筒に対する位置を示した図である。
【符号の説明】
【００２４】
１：駆動ユニット取付構造、２：カメラ、３：レンズ鏡筒、４：駆動ユニット、８：固定筒、９，１０，１１：移動部、２０：駆動ユニット取付部、２２：受動ギア、２７：ズームモータ、２９ｅ：駆動ギア、３３，３４：位置決め孔
【図１】
2008281955.tif 000003
【図２】
2008281955.tif 000004
【図３】
2008281955.tif 000005
【図４】
2008281955.tif 000006